(57)【要約】【課題】密閉体が破損した場合ならびに圧力容器の内容物にアクセスするためにオペレータが容器閉塞体の締付具を緩めてそれらを移動させる時の操作の間の圧力容器からの高圧の流体の危険な漏出を防止する問題を解決する方法および圧力容器を提供する。【解決手段】カバー（３０）は、移動可能な圧力容器蓋体（２２）のために設けられる。カバーは、蓋体締付具（３６）を解放する時に漏出する圧力流体をオペレータから離れる方向へ案内するために、前記蓋体と圧力容器との中間面を覆うように延びる周縁フランジ（３２）を有する。他の実施形態において、周縁フランジ（５８）は、前記蓋体（５０）上に設けられる。【選択図】図１
2010261592.tif 000002
【特許請求の範囲】
【請求項１】
移動可能な閉塞体（２２）を備えるアクセス用開口（１４）を有する型式の容器からの圧力流体の放出中に使用者を保護する方法であって、
（ａ）前記閉塞体（２２）と前記アクセス用開口（１４）との間を密閉体（２７）により密閉するステップと、
（ｂ）前記アクセス用開口を覆って前記閉塞体を固定するための保持装置（３６）を使用者が解放可能に設けるステップと、
（ｃ）使用者が前記保持装置を解放する時に漏出する圧力流体を前記使用者から離れる方向（３２，５８）へ案内する限定的な流路を形成するステップと、
を含むことを特徴とする方法。
【請求項２】
前記限定的な流路を形成するステップは、前記閉塞体上に周縁フランジを形成するステップを含むことを特徴とする請求項１に記載の方法。
【請求項３】
前記周縁フランジ（５８）を形成するステップは、環状のフランジを形成するステップを含むことを特徴とする請求項２に記載の方法。
【請求項４】
前記限定的な流路を形成するステップは、前記閉塞体と前記容器との間に環状の溝（５８）を形成するステップを含むことを特徴とする請求項１に記載の方法。
【請求項５】
前記使用者が解放可能な保持装置を設けるステップは、複数個のねじ部品（２０，３６）を設けるステップを含むことを特徴とする請求項１に記載の方法。
【請求項６】
前記密閉するステップは、前記閉塞体と前記アクセス用開口との間に弾性を有する密閉体（２７）を設けるステップを含むことを特徴とする請求項１に記載の方法。
【請求項７】
アクセス用開口（１４）とそれを覆う移動可能な閉塞体（２２）とを有する型式の圧力容器であって、
（ａ）前記アクセス用開口（１４）を有する流体圧力室を画定する壁構造（１６）と、
（ｂ）前記アクセス用開口を覆って設けられる前記閉塞体（２２）と、
（ｃ）前記アクセス用開口を覆う前記閉塞体を密閉する手段（２７）と、
（ｄ）前記アクセス用開口を覆う前記閉塞体を解放可能に保持する手段（３６）と、
（ｅ）使用者が前記保持する手段を解放する時に圧力流体の流れを前記使用者から離れる方向へ案内する手段（３２，５８）と、
を含むことを特徴とする圧力容器。
【請求項８】
前記流れを案内する手段は、前記壁構造および前記閉塞体の１つに形成される溝（５８，１８）を含むことを特徴とする請求項７に記載の圧力容器。
【請求項９】
前記流れを案内する手段は、前記壁構造（４６，５８）および前記閉塞体内に形成される溝を含むことを特徴とする請求項７に記載の圧力容器。
【請求項１０】
前記流れを案内する手段は、前記アクセス用開口の周囲の周縁溝（１８，５８）を含むことを特徴とする請求項７に記載の圧力容器。
【請求項１１】
前記溝は、環状の外形を有することを特徴とする請求項１０に記載の圧力容器。
【請求項１２】
前記密閉する手段は、環状の密閉体（２７）を含むことを特徴とする請求項７に記載の圧力容器。
【請求項１３】
前記環状の密閉体は、Ｏリング（２７）を含むことを特徴とする請求項１２に記載の圧力容器。
【請求項１４】
前記解放可能に保持する手段は、ねじ部品（３６）を含むことを特徴とする請求項７に記載の圧力容器。
【発明の詳細な説明】
【技術分野】
【０００１】
本発明は、容器の内容物に対するオープンアクセス用に移動可能な閉塞体を備える開口端を有する型式の容器からの圧力流体の放出の制御に関し、特に、圧力容器内に設けられるフィルータエレメントによって流体を濾過するために使用されるとともに清掃あるいは交換のための閉塞体の定期的な移動が要求される圧力容器型式に関する。
【背景技術】
【０００２】
通常、容器は、容器内に設けられるフィルターエレメントを通して圧力下で流体を流通させるための流体システム内のラインに接続されるインレットおよびアウトレットを含む。一般に、このような圧力容器は、圧力容器の開口端を覆う圧力調整あるいは閉塞プレートを使用する。該プレートは、例えばボルトあるいはトグルクランプ等の締付具によって圧力容器に固定されるとともに例えばＯリング等の密閉体によって圧力容器の端部を覆って密閉する。
【０００３】
内部にアクセスするために閉塞プレートあるいは圧力容器のカバーを開く場合、フィルターから粒体を含む圧力流体が急激に漏出することでオペレータが負傷することを防ぐため、容器内の残圧が加速度的に放出されないように、オペレータは、閉塞体に蓋体を固定している締付具を注意して緩める必要がある。フィルター閉塞用カバーのより一般的な態様は、それらの間に介挿されるガスケットあるいは密閉リングを備える圧力容器の開口端の周囲に形成されたフランジに固定されるフラットプレートである。このように、締付具を緩めると、締付具が解放された時にフランジとカバープレートの下面との間から漏出する圧力流体のブラストが発生することがあり、これにより、締付具を緩め始める場合にオペレータが危険な状態下に晒される。
【０００４】
したがって、容器閉塞体あるいは蓋体の移動による減圧時に圧力容器から高圧の流体が漏出する危険を減少させる方法あるいは手段が要望されていた。
【発明の概要】
【発明が解決しようとする課題】
【０００５】
そこで本発明は、上記事情に鑑みてなされたもので、密閉体が破損した場合ならびに圧力容器の内容物にアクセスするためにオペレータが容器閉塞体の締付具を緩めてそれらを移動させる時の操作の間における圧力容器からの高圧の流体の危険な漏出を防止する問題を解決する方法および圧力容器を提供することを課題としてなされたものである。
【課題を解決するための手段】
【０００６】
上記課題を解決するために、本発明の方法は、移動可能な閉塞体（２２）を備えるアクセス用開口（１４）を有する型式の容器からの圧力流体の放出中に使用者を保護する方法であって、（ａ）前記閉塞体（２２）と前記アクセス用開口（１４）との間を密閉体（２７）により密閉するステップと、（ｂ）前記アクセス用開口を覆って前記閉塞体を固定するための保持装置（３６）を使用者が解放可能に設けるステップと、（ｃ）使用者が前記保持装置を解放する時に漏出する圧力流体を前記使用者から離れる方向（３２，５８）へ案内する限定的な流路を形成するステップと、を含むことを特徴とする。
上記課題を解決するために、本発明の圧力容器は、アクセス用開口（１４）とそれを覆う移動可能な閉塞体（２２）とを有する型式の圧力容器であって、（ａ）前記アクセス用開口（１４）を有する流体圧力室を画定する壁構造（１６）と、（ｂ）前記アクセス用開口を覆って設けられる前記閉塞体（２２）と、（ｃ）前記アクセス用開口を覆う前記閉塞体を密閉する手段（２７）と、（ｄ）前記アクセス用開口を覆う前記閉塞体を解放可能に保持する手段（３６）と、（ｅ）使用者が前記保持する手段を解放する時に圧力流体の流れを前記使用者から離れる方向へ案内する手段（３２，５８）と、を含むことを特徴とする。
【０００７】
本発明の一実施形態において、圧力容器閉塞体あるいは蓋体は、その上にフランジで固定されるカバーを有して、該フランジは、カバーと圧力容器との間から漏出する流体を概して圧力容器の壁に対して平行な方向且つ蓋体を保持している締付具を緩める時にオペレータから離れる方向へ案内するために、その周縁に沿って延びるとともにカバーに対して概して適当な角度で設けられる。
【０００８】
本発明の他の実施形態において、カバーは、その上に設けられる周縁フランジを有して、該周縁フランジは、それらの間から漏出する流体を使用者あるいはオペレータから離れる方向へ案内するために、概して蓋体に対して適当な角度で且つ蓋体と圧力容器フランジとの連結部を覆うように延びる。望むのであれば、周縁フランジは、閉塞体あるいは蓋体と一体化して一部材に形成することができる。
【発明の効果】
【０００９】
本発明によれば、密閉体が破損した場合ならびに圧力容器の内容物にアクセスするためにオペレータが容器閉塞体の締付具を緩めてそれらを移動させる時の操作の間における圧力容器からの高圧の流体の危険な漏出を防止する問題を解決することができる。
【図面の簡単な説明】
【００１０】
【図１】圧力容器からの放出時に圧力流体を使用者から離れる方向へ案内するための保護カバーを備える蓋体を有する圧力容器の一実施形態における断面図である。
【図２】図１の閉塞部材の平面図および正面図である。
【図３】圧力放出のための保護フランジを備える圧力容器閉塞体の別の実施形態を示すものであり、図１同様に一部を断面で示す図である。
【発明を実施するための形態】
【００１１】
図１を参照すると、一実施形態における圧力容器アセンブリ１０は、開口端１４を有する容器１２を含み、対象となる内容物を収容するとともに容器１２が晒される供給圧力に耐え得る適当な材料により形成される耐圧壁１６を備える。カラーあるいはリムフランジ１８は、圧力容器１２の開口端１４の周囲に設けられるとともに例えば溶接等の好適な手段で圧力容器１２の開口端１４に固定される。さらに、選択的に、フランジ１８は、圧力容器壁１６に一体に形成することができ、それにより一部材からなる圧力容器１２の開口端がもたらされる。
【００１２】
フランジ１８は、該フランジ１８を貫通して形成されるとともに周囲に間隔をあけて配設されてその中に例えばねじ部品等の適当な固定部材を受け入れるための複数個のねじ穴２０を有するが、選択的に、例えば図示を省略するトグルクランプ等の適当なクランプを使用することができる。
【００１３】
図１および図２を参照すると、閉塞部材あるいは蓋体２２は、圧力容器１２の開口端１４を覆うように設けられる。また、図１において、蓋体２２は、容器１２内の圧力流体の放出を許容するためにフランジ１８の表面にたいして間隔をあけて設けられる。蓋体２２は、弾性を有するＯリングを含む環状の密閉リング２７を収容する周縁溝２４を含むことができる。しかしながら、選択的に、Ｏリング密閉体よりもむしろ適当な材料からなるガスケット（図示省略）を使用することができることが理解されるであろう。カバー２２は、外側へ向けて延びてペアで設けられる複数個の突出部２６を含む。カバー２２は、突出部２６の各ペア毎に各ペア間にスロット２８が形成されている。突出部２６のペアは、圧力容器フランジ１８内に形成されるねじ穴２０の１つに各スロット２８が一致するようにしてカバー２２の周囲に間隔をあけて設けられる。
【００１４】
図１を参照すると、カバー３０は、閉塞体あるいは蓋体２２を覆って設けられる。また、カバー３０は、概してカバー３０に対して適当な角度で延びるとともに圧力容器１２のフランジ１８を覆って延びてその周囲に環状あるいは半径方向の間隔を提供する周縁フランジ３２を含む。カバー３０は、該カバー３０を貫通して形成されてカバー部材２２のスロット２８に一致して設けられる複数個の開口部３４を有する。各開口部３４には、例えばアイボルト３６等の適当なねじ部品が貫通する。そして、該ねじ部品をフランジ１８のねじ穴２０に螺合させて締め付けることで、蓋あるいは閉塞部材２２がフランジ１８に固定されるとともに密閉リング２７がフランジ１８の表面３８に当接して容器１２が密閉される。このように、使用者が締付具３６を緩めるとともに蓋体２２がフランジ１８の表面３８から僅かに間隔をあけられた図解された位置へ移動することを許容する場合において、蓋体２２と表面３８との間から漏出する流体圧力は、図１における図解に関連して使用者から離れて下方へ向けられる。カバーを保持および固定する他の方法として例えば解放可能なクランプ等を使用することができることは理解されるであろう。本実施形態において、カバー３０は、一部材としてそれとともに一体化されて形成されるフランジ３２を有する。しかしながら、フランジ３２が分割して形成されるとともに例えば溶接等の適当な手段によりカバーに固定されることは理解されるであろう。
【００１５】
図３を参照すると、他の実施形態における圧力容器内の圧力放出を制御するためのシステム４０は、圧力下にある流体を収容するための壁４２を含む。その開口端４４は、密閉面４８が形成される密閉フランジあるいはカラー４６を有する。フランジあるいはカラー４６は、例えば溶接等の適当な手段により圧力容器壁４２の開口端に取り付けられる。あるいは、選択的に、フランジ４６は、一部材として圧力容器壁４２に一体で形成されることが理解されるであろう。他の実施形態のシステム４０において、閉塞体あるいは蓋体５０は、密閉面４８を覆って設けられるとともに例えば弾性を有する密閉リング等の適当な密閉手段により密閉面上を密閉する。密閉手段は、例えば、閉塞体あるいは蓋体５０の下面に形成される溝５４に収容される密閉リングとすることができる。蓋体５０は、環状のフランジ５６を有する。該フランジ５６は、フランジ４６の外周縁部の周囲の環状の間隙あるいは言い換えるとフランジ４６の外周縁部との間に半径方向の隙間を形成する内周縁部５８を有する。
【００１６】
フランジ４６は、該フランジ４６を貫通して設けられるとともにその周囲に間隔をあけて配設される複数個のねじ穴６０を有する。蓋体５０は、該蓋体５０を貫通して形成されてそれぞれがねじ穴６０の１つと一致するように蓋体５０上に配置される好適な穴６２を有する。例えばアイボルト６４等の適当なねじ部品は、蓋体５０を密閉面４８に当接させて保持するとともに、密閉リング５２，５４を圧力容器に密閉させて圧力容器からの圧縮流体の漏出を防止するために、穴６２に通されてねじ穴６０に螺合される。
【００１７】
圧力容器の減圧あるいは圧力容器からの圧力流体の放出が要求される場合、締付具６４がオペレータによって緩められて、密閉リング５２と密閉面４８との間の密閉が破られると、圧力流体は、フランジ５６とフランジ４６との間の半径方向の隙間内に漏出するとともにオペレータから離れる方向へ流れる。
【００１８】
このように、本明細書は、オペレータが蓋体を保持している締付具を緩める時に圧力流体が使用者から離れる方向へ案内されるように、カバーフランジが蓋体および開口端の密閉面の周囲に設けられる、圧力容器を減圧させるためのシステムを説明する。
【００１９】
明らかに、改良および変更は、前述した詳細な説明を読んで理解した他人が思い付くであろう。典型的な実施形態は、それらが追加されたクレームあるいはそれと同等の範囲の範疇となる限りにおいて全ての改良および変更を含むように解釈されることに言及する。
【符号の説明】
【００２０】
１０  圧力容器アセンブリ、１２  圧力容器、１４  開口端、１６  圧力容器壁、１８  フランジ、２０  ねじ穴、２２  蓋体、２６  突出部、２８  スロット、３０  カバー、３２  周縁フランジ、３４  開口部、３６  締付具、３８  表面
【図１】
2010261592.tif 000003
【図２】
2010261592.tif 000004
【図３】
2010261592.tif 000005